(57)【要約】【課題】２箇所以上で地絡状態にある発電単位を効率良く探し出すことができる発電監視システム及び発電監視方法を提供する。【解決手段】太陽光発電システム１００では、データロガー８０は、複数のストリングＳＴＲによる発電電流の測定値を取得し、この発電電流の測定値を元に、ストリング毎の電流低下率を算出し、この電流低下率が大きい程、上位となるようにストリングＳＴＲの順位を決定し、この決定されたストリングの順位をランキング形式でモニタ端末６０に表示させる。【選択図】図３
2016082716.tif 000002
【特許請求の範囲】
【請求項１】
少なくとも１つの太陽光パネルを含む、複数の発電単位と、
前記複数の発電単位の発電出力の測定値を取得する取得部と、
前記取得部によって取得された前記複数の発電単位の発電出力の測定値を基に、各々の前記発電単位の発電出力の低下の推移を表示部に表示させる表示制御部と、を備える、
発電監視システム。
【請求項２】
請求項１に記載の発電監視システムであって、
前記表示制御部は、前記推移として、前記発電出力の低下が大きい程、上位となるように前記発電単位の順位を表示させる、
発電監視システム。
【請求項３】
請求項２に記載の発電監視システムであって、
前記表示制御部は、前記発電単位の順位をランキング形式で表示させる、
発電監視システム。
【請求項４】
請求項２又は３に記載の発電監視システムであって、
前記表示制御部は、前記発電出力の低下が特定の条件を満たす前記発電単位を識別可能に表示させる、
発電監視システム。
【請求項５】
請求項１に記載の発電監視システムであって、
前記発電単位の配置位置に関する情報を含む地図情報を記憶する記憶部を、更に備え、
前記表示制御部は、前記発電単位の順位を前記配置位置に関する情報と対応付けて表示させる、
発電監視システム。
【請求項６】
請求項１に記載の発電監視システムであって、
前記表示制御部は、前記発電単位の発電出力の低下の推移を、所定期間における前記発電出力の低下の平均値、最大値又は積算値を用いて表示させる、
発電監視システム。
【請求項７】
請求項６に記載の発電監視システムであって、
表示操作を入力する入力部、を更に備え、
前記表示制御部は、入力された前記表示操作に従って、前記所定期間を、日単位、週単位又は月単位のいずれかの期間に切り替える、
発電監視システム。
【請求項８】
請求項１に記載の発電監視システムであって、
表示操作を入力する入力部、を更に備え、
前記表示制御部は、入力された前記表示操作に従って、前記発電単位を、クラスタ、太陽光パネル、ストリング、接続箱又はパワーコンディショナのいずれかに切り替える、
発電監視システム。
【請求項９】
請求項４に記載の発電監視システムであって、
前記表示制御部は、前記特定の条件として、前記順位が所定順位以上である日数が所定期間において所定日数以上である前記発電単位を識別可能に表示させる、
発電監視システム。
【請求項１０】
請求項４に記載の発電監視システムであって、
前記表示制御部は、前記特定の条件として、前記発電出力の低下が所定値以上である前記発電単位を識別可能に表示させる、
発電監視システム。
【請求項１１】
少なくとも１つの太陽光パネルを含む、複数の発電単位を監視する発電監視システムにおける発電監視方法であって、
前記発電単位の発電出力の測定値を取得するステップと、
取得された前記複数の発電単位の発電出力の測定値を基に、各々の前記発電単位の発電出力の低下の推移を表示部に表示させるステップと、を有する、
発電監視方法。
【発明の詳細な説明】
【技術分野】
【０００１】
本発明は、太陽光パネルの発電状況を監視する発電監視システム及び発電監視方法に関する。
【背景技術】
【０００２】
従来、太陽光パネルに接続されたインバータ（パワーコンディショナ）によって、太陽光パネルが地絡状態にあると判断された場合に、インバータの動作を停止させる技術が知られている（特許文献１参照）。
【先行技術文献】
【特許文献】
【０００３】
【特許文献１】特開２０１４−０３９４４４号公報
【発明の概要】
【発明が解決しようとする課題】
【０００４】
しかし、従来の発電監視システムでは、次の問題があった。メガソーラシステムの場合、インバータを用いて構成されるパワーコンディショナには、多数の太陽光パネルが接続される。パワーコンディショナは、太陽光パネルが地絡状態にあることを判断することができたとしても、実際、どの太陽光パネルが、あるいはその太陽光パネルが直列に接続されたストリングにおいて地絡状態が生じているかが分からなかった。
【０００５】
このため、メガソーラシステムのメンテナンス業者は、現実には１つ１つの太陽光パネルを見回って検査するしかなく、地絡状態にある太陽光パネルを探し出すのに、多くの時間を費やし、メンテナンス効率が非常に悪かった。
【０００６】
また通常、メガソーラシステムでは、太陽光パネルの発電により出力される発電電流が流れる直流電路は接地（アース）されておらず、パネルフレーム、架台、接続箱の筐体等が接地される。このため、直流電路の１箇所で地絡が起きても、その箇所が接地されただけでその他の箇所と地面との間では高抵抗であるので、電流はほとんど流れない。しかし、２箇所以上で地絡した場合、これらの箇所の間で電位差があると、地面を通して電流が流れることになる。つまり、短絡電流が発生し、発電電流が低下する。
【０００７】
本発明は、上述した従来の状況に鑑みて案出され、各々の発電単位の発電出力の低下の推移の監視により、１つ１つの発電単位を見回って検査する場合に比べて、２箇所以上で地絡状態になった発電単位を効率良く探し出す発電監視システム及び発電監視方法を提供することを目的とする。
【課題を解決するための手段】
【０００８】
本発明は、少なくとも１つの太陽光パネルを含む、複数の発電単位と、前記複数の発電単位の発電出力の測定値を取得する取得部と、前記取得部によって取得された複数の発電単位の発電出力の測定値を基に、各々の前記発電単位の発電出力の低下の推移を表示部に表示させる表示制御部と、を備える、発電監視システムである。
【発明の効果】
【０００９】
本発明によれば、複数の発電単位の発電出力の測定値を基に、各々の発電単位における発電出力の低下の推移を表示するので、１つ１つの発電単位を見回って検査する場合に比べて、２箇所以上で地絡状態になった発電単位を効率良く探し出すことができる。
【図面の簡単な説明】
【００１０】
【図１】第１の実施形態の太陽光発電システムのシステム構成の一例を示す図
【図２】ＰＶパネル周辺の構成例を示す図
【図３】データロガーの構成を示すブロック図
【図４】（Ａ）、（Ｂ）ストリング毎の発電電流の時間変化を示すグラフ
【図５】（Ａ）ストリング毎のデータ収集動作手順を説明するフローチャート、（Ｂ）表示動作手順を説明するフローチャート
【図６】データロガー内の表示制御部によって表示が制御されるモニタ端末の画面の展開を示す図
【図７】ストリング毎に月間の電流低下ランキング画面に表示されるテーブルの登録内容を表す図
【図８】（Ａ）、（Ｂ）、（Ｃ）ストリング毎に期間指定で電流低下ランキング画面に表示されるテーブルの登録内容を表す図
【図９】（Ａ）、（Ｂ）、（Ｃ）ストリング毎に期間指定で電流低下ランキング画面に表示される他のテーブルの登録内容を表す図
【図１０】（Ａ）、（Ｂ）電流低下率が大きくて上位にあるストリングの順位の推移を表す折れ線グラフ
【図１１】第２の実施形態の太陽光発電システムのシステム構成の一例を示す図
【図１２】４つの接続箱がそれぞれ属する４つのセクタを表す地図情報を示す図
【図１３】ストリング毎の電流低下ランキング画面に表示されるテーブルの登録内容を、セクタが識別可能となるように示す図
【図１４】接続箱毎に月単位の電流低下ランキング画面に表示されるテーブルの登録内容を表す図
【発明を実施するための形態】
【００１１】
以下、本発明に係る発電監視システム及び発電監視方法の各実施形態について、図面を参照して説明する。各実施形態の発電監視システムは、複数の太陽光パネルを用いて発電する太陽光発電システムに適用される。この発電監視システムは、２箇所以上の発電単位（例えば太陽光パネル）で地絡した場合、これらの地点は地面（大地）を介して電気的に接続されるために短絡電流が発生することによって各発電単位の発電出力（例えば発電電流）が低下する点に着目し、地絡状態の可能性がある発電単位を使用者（メンテナンス業者も含む）に提示する。
【００１２】
（第１の実施形態）
図１は、第１の実施形態の太陽光発電システム１００のシステム構成の一例を示す図である。図１に示す太陽光発電システム１００は、１つ以上のストリングＳＴＲ１，ＳＴＲ２，ＳＴＲ３と、無線通信対応のストリングモニタ子機ＭＳＬ１，ＭＳＬ２，ＭＳＬ３と、接続箱４０と、パワーコンディショナ５０と、モニタ端末６０と、無線通信対応のストリングモニタ親機ＭＭＳと、データロガー８０と、モニタサーバ９０とを含む構成である。なお、図１に示す太陽光発電システム１００では、説明を簡単にするために、３つのストリングが示されているが、ストリングの形成数は３に限定されない。また、ストリングを個々に区別する必要が無い場合、ストリングＳＴＲと総称する。同様に、ストリングモニタ子機ＭＳＬ１，ＭＳＬ２，ＭＳＬ３を個々に区別する必要が無い場合、ストリングモニタ子機ＭＳＬと総称する。
【００１３】
ストリングＳＴＲは、複数の太陽光パネル（ＰＶパネル）が直列に接続された構成であり、例えば図１では各ストリングにおいて５つのＰＶパネルが直列に接続している。具体的には、ストリングＳＴＲ１では、ＰＶパネル１１Ａ１とＰＶパネル１１Ａ２とＰＶパネル１１Ａ３とＰＶパネル１１Ａ４とＰＶパネル１１Ａ５とが直列に接続される。ストリングＳＴＲ２では、ＰＶパネル１２Ａ１とＰＶパネル１２Ａ２とＰＶパネル１２Ａ３とＰＶパネル１２Ａ４とＰＶパネル１２Ａ５とが直列に接続される。ストリングＳＴＲ３では、ＰＶパネル１３Ａ１とＰＶパネル１３Ａ２とＰＶパネル１３Ａ３とＰＶパネル１３Ａ４とＰＶパネル１３Ａ５とが直列に接続される。各ＰＶパネルの動作は同様であるので、以下、ＰＶパネル及びストリングモニタ子機の説明においては、ＰＶパネル１１Ａ１及びストリングモニタ子機ＭＳＬ１を用いて例示する。また、ＰＶパネル１１Ａ１〜１１Ａ５、ＰＶパネル１２Ａ１〜１２Ａ５、ＰＶパネル１３Ａ１〜１３Ａ５を特に区別する必要が無い場合、ＰＶパネル１０と総称する。
【００１４】
ＰＶパネル１０は、光電効果によって太陽光エネルギーを電気エネルギー（例えば直流電力）に変換する発電機能を有する太陽電池セルを含み、より具体的には、複数の太陽電池セルが所定の配列に従って配置された太陽電池モジュールである。例えばストリングＳＴＲ１では、ＰＶパネル１１Ａ１とＰＶパネル１１Ａ２とＰＶパネル１１Ａ３とＰＶパネル１１Ａ４とＰＶパネル１１Ａ５とは、電力線（Power Line）上に直列に接続される（図１参照）。
【００１５】
また、ストリングＳＴＲ１には、各ＰＶパネル１１Ａ１，１１Ａ２，１１Ａ３，１１Ａ４，１１Ａ５の光電効果により得られた所定物理量（例えば発電電流、発電電力量）（以下、発電電流等という）を測定する無線測定器の一例としてのストリングモニタ子機ＭＳＬ１が設けられる。
【００１６】
太陽光発電システム１００では、ストリングＳＴＲ１を接続する電力線とストリングＳＴＲ２を接続する電力線とストリングＳＴＲ３を接続する電力線とは並列に接続されている。各ストリングＳＴＲ１，ＳＴＲ２，ＳＴＲ３を個別に接続する電力線は、接続箱４０において集線され、太陽電池アレイ（ＰＶアレイ）が形成される。なお、図１では合計３つのストリングＳＴＲ１，ＳＴＲ２，ＳＴＲ３により１つのＰＶアレイが形成されているが、１つのＰＶアレイを形成するためのストリングの数は３つに限定されない。
【００１７】
図２は、ＰＶパネル１０周辺の構成例を示す図である。本実施形態では、ＰＶパネル１０にストリングモニタ子機ＭＳＬが接続されているが、ストリングモニタ子機ＭＳＬが接続されないＰＶパネル１０が存在してもよい。
【００１８】
ＰＶパネル１０は、複数の太陽電池クラスタ（ＰＶクラスタ）１０Ｇを含む。複数のＰＶクラスタ１０Ｇは、直列に接続される。各ＰＶクラスタ１０Ｇは、複数のＰＶセル１０Ｃを含む。ＰＶクラスタ１０Ｇに含まれる複数のＰＶセル１０Ｃは、直列に接続される。ＰＶセル１０Ｃは、太陽光による光エネルギーを電力に変換する発電素子である。また、ＰＶクラスタ１０Ｇ（１０Ｇ１〜１０Ｇ３）の各々には、バイパスダイオードＢＤ（ＢＤ１〜ＢＤ３）が並列に接続される。
【００１９】
図２の構成例では、ＰＶクラスタ１０Ｇ及びバイパスダイオードＢＤが３個設けられているが、これらの数は３個に限られない。また、ＰＶクラスタ１０Ｇでは、１２個のＰＶセル１０Ｃが直列に接続されているが、この数は１２個に限られない。一般的に、ＰＶパネル１０は複数のＰＶクラスタ１０Ｇ及び複数のＰＶセル１０Ｃを含むが、少なくとも１つのＰＶセル１０Ｃを含んでいればよい。
【００２０】
ＰＶセル１０Ｃ又はＰＶセル１０Ｃ間の接続線に異常（不具合）が発生していない場合、各ＰＶクラスタ１０Ｇは、発電し、端子間に電圧を生じさせる。これにより、バイパスダイオードＢＤには、逆電圧が印加されるので、バイパスダイオードＢＤは電流を通過させない。
【００２１】
一方、例えばＰＶクラスタ１０Ｇ１において異常が発生したとする。この場合、異常のあるＰＶセル１０Ｃ又はＰＶセル１０Ｃ間の接続線は、発電せずに単なる抵抗体となるため、他のＰＶクラスタ１０Ｇ２，１０Ｇ３が発生したエネルギーを消費し、ＰＶパネル１０の発電電力を低下させる。また、異常のあるＰＶセル１０Ｃ又はＰＶセル１０Ｃ間の接続線に電流の供給が継続されると、このＰＶセル１０Ｃ又はＰＶセル１０Ｃ間の接続線が例えば熱破損することがある。上記ＰＶクラスタ１０Ｇの異常に対処するため、ＰＶクラスタ１０Ｇに並列に接続されたバイパスダイオードＢＤにより、異常が発生した箇所を含むＰＶクラスタ１０Ｇに流れる電流を、バイパスして通過させる。
【００２２】
バイパスダイオードＢＤが動作すると、動作するバイパスダイオードＢＤに対応するＰＶクラスタ１０Ｇに電圧が印加されないので、ＰＶパネル１０の電圧が低くなる。
【００２３】
なお、バイパスダイオードＢＤ又はＰＶクラスタ１０Ｇから出力される電流は、ストリングモニタ子機ＭＳＬに入力されてもよい。
【００２４】
無線測定器の一例としてのストリングモニタ子機ＭＳＬ１は、ＰＶパネル１１Ａ１〜１１Ａ５の太陽光発電における発電電流等を周期的に測定し、無線通信によって測定結果データをストリングモニタ親機ＭＭＳに送信する。ストリングモニタ子機ＭＳＬ１の測定周期は、例えば１０分とする。１日の日照時間を午前１０時から午後３時までの５時間とする場合には、ストリングモニタ子機ＭＳＬ１は、１時間あたり６回、１日につき、合計６×５＝３０回測定する。
【００２５】
また、ストリングモニタ子機ＭＳＬ１は、自己が設置されたストリングＳＴＲ１（ＰＶパネル１１Ａ１〜１１Ａ５）の発電電力（発電量）を制御してもよい。つまり、ストリングモニタ子機ＭＳＬ１は、ストリングモニタ子機ＭＳＬ１に接続されているストリングＳＴＲ１の発電電力（直流電力）を検出し、この発電電力（直流電力）が所望の電力となるように制御してもよい。なお、所望の電力は、例えば各ストリングモニタ子機に接続されている各ＰＶパネルの設置方向、設置場所又は日照条件に応じて、ストリングモニタ子機毎に異なってもよいし同一でもよい。なお、本実施形態では、太陽光発電部の発電情報を計測する構成の一例として、ストリングモニタ子機ＭＳＬを用いて説明するが、各ＰＶパネルに対してＭＰＰＴ制御可能なマイクロインバータ又はパワーオプティマイザが用いられても良い。
【００２６】
接続箱４０は、ストリングＳＴＲ１，ＳＴＲ２，ＳＴＲ３を個別に接続する各電力線を集線してパワーコンディショナ５０に接続する。接続箱４０は、例えば、ストリングＳＴＲ１を接続する電力線とストリングＳＴＲ２を接続する電力線とストリングＳＴＲ３を接続する電力線との接続端子と、点検や保守の際に用いるスイッチと、避雷素子と、電気の逆流の防止用の逆流防止ダイオードとを含む。また、接続箱４０は、パワーコンディショナ５０と一体化されてもよいし、省略されてもよい。
【００２７】
発電制御装置の一例としてのパワーコンディショナ５０は、接続箱４０を介して各ストリングＳＴＲ１〜ＳＴＲ３から出力された直流電力を変換処理（例えばＤＣＤＣ変換処理）し、更に、ＤＣＤＣ変換後の直流電力を交流電力に変換処理（例えばＤＣＡＣ変換処理）する。パワーコンディショナ５０は、例えば分電盤（図示せず）に接続される。なお、パワーコンディショナ５０は、上述したＤＣＤＣ変換処理において、パワーコンディショナ５０に供給された電力が最大となるように上述したＭＰＰＴ制御を行う。なお、図１では説明を簡単にするために、接続箱４０及びパワーコンディショナ５０は１つとしているが、１つに限定されない。例えば、パワーコンディショナ５０に複数の接続箱４０が接続されてもよい。
【００２８】
なお、発電制御装置は、パワーコンディショナに限定されず、ＭＰＰＴ制御装置など、太陽光発電部の発電量を制御するものであれば、種々の構成を用いることができる。
【００２９】
ストリングモニタ親機ＭＭＳは、１つ以上のストリングモニタ子機ＭＳＬ１〜ＭＳＬ３との間で有線通信又は無線通信する。ストリングモニタ親機ＭＭＳは、例えばストリングＳＴＲ１〜ＳＴＲ３毎の太陽光発電における発電電流等の測定結果データを、ストリングモニタ子機ＭＳＬ１〜ＭＳＬ３から受信してデータロガー８０に出力する。なお、ストリングモニタ親機ＭＭＳの設置場所は、特に限定されず、例えばストリングモニタ子機との有線通信又は無線通信が可能な場所に設置されてもよいし、パワーコンディショナ５０内に設置されてもよい。図１では、ストリングモニタ親機ＭＭＳは、単独の装置として設置された場合が例示されている。
【００３０】
データロガー８０は、ストリングモニタ親機ＭＭＳから出力されたデータ（即ち、各ストリングＳＴＲ１〜ＳＴＲ３の太陽光発電における発電電流等の測定結果データ）を取得する。
【００３１】
図３は、データロガー８０の構成を示すブロック図である。図３に示すデータロガー８０は、データ収集部８１と、データベース部８２と、異常検知部８３と、表示制御部８５と、センサＩ／Ｆ部８７と、外部Ｉ／Ｆ部８６とを含む構成である。
【００３２】
データ収集部８１は、無線通信方式ＤＥＣＴ（Digital Enhanced Cordless Telecommunications）のインターフェース（Ｉ／Ｆ）の子機であり、ＤＥＣＴ＿Ｉ／Ｆの親機であるストリングモニタ親機ＭＭＳと通信を行い、ストリングモニタ親機ＭＭＳから送信される発電電流等のデータを収集する。データベース部８２は、データ収集部８１で受信した発電電流等のデータを蓄積する。
【００３３】
異常検知部８３は、データベース部８２に蓄積された発電電流のデータを読み出し、太陽光発電システム１００における各ストリングＳＴＲ１〜ＳＴＲ３の異常の有無を判断する。即ち、異常検知部８３は、各ストリングＳＴＲ１〜ＳＴＲ３の発電電流の測定値と閾値とを比較し、各ストリングＳＴＲ１〜ＳＴＲ３の発電電流の測定値のうちいずれかが閾値より小さい場合、そのストリングに異常が発生したと判断する。ここで、閾値は、ストリングの発電電流の測定値がこの閾値未満である場合、ストリングが異常であると判断される値である。なお、発電電流の測定値と閾値との比較は、日照時間内の特定の時間帯、例えばピークを含む時間帯において行ってもよいし、ある値以上の電流値が測定される時間帯において行ってもよい。
【００３４】
表示制御部８５は、データベース部８２に蓄積された発電電流のデータを読み出し、各ストリングＳＴＲの発電電流の電流低下率を算出する。なお、この算出は異常検知部８３により行われてもよい。更に、表示制御部８５は、全ストリングの発電電流に対し、電流低下率が大きい程、上位となるように順位を付け、この順位が少なくとも上位にあるストリングＳＴＲをランキング形式でモニタ端末６０に表示させる。ストリングＳＴＲの表示数は、例えば上位何番目まで、あるいは電流低下率が何％以上と指定することで設定可能である。あるいは、特に指定することなく、全ストリング数表示させることも可能である。このランキング形式で表示されたストリングＳＴＲの表示態様については後述する。
【００３５】
ここで、電流低下率は、発電電流の基準値に対する発電電流の割合として算出される。基準値として、例えば全ストリングの発電電流の平均値が用いられる。即ち、電流低下率は、対象となるストリングの発電電流の測定値が全ストリングの発電電流の平均値から下がっている割合である。なお、基準値としては、全ストリングの発電電流の平均値を求める代わりに、固定値、例えばストリング設置時における発電電流の初期値や定格値を用いてもよい。
【００３６】
また、ここでは、データロガー８０が電流低下率を算出していたが、ストリングモニタ親機ＭＭＳ或いはストリングモニタ子機ＭＳＬ１が電流低下率を算出し、データロガー８０は、ストリングモニタ親機ＭＭＳからストリング毎の電流低下率を取得してもよい。
【００３７】
センサＩ／Ｆ部８７には、周囲温度を計測する温度計９６及び日照時間を測定する日照計９５が接続される。センサＩ／Ｆ部８７は、温度計で計測された周囲温度、及び日照計で測定された日照時間のデータをデータベース部８２に蓄積する。また、温度計９６及び日照計９５は、パワーコンディショナ５０に接続され、このパワーコンディショナ５０を経由して受変電設備（図示せず）に周囲温度及び日照時間のデータを送信するようにしてもよい。この受変電設備は充電装置を備える。
【００３８】
外部Ｉ／Ｆ部８６は、パワーコンディショナ５０と通信可能に接続され、データベース部８２に蓄積された発電電流、周囲温度及び日照時間を含むデータをパワーコンディショナ５０に送信する。なお、外部Ｉ／Ｆ部８６には、受発電設備（図示せず）が通信可能に接続されてもよい。
【００３９】
また、外部Ｉ／Ｆ部８６は、ネットワークＮＷに対する通信を制御し、ネットワークＮＷを介して接続されたモニタサーバ９０又はモニタ端末６０と通信を行う。例えば、外部Ｉ／Ｆ部８６は、モニタサーバ９０及びモニタ端末６０に発電電流等のデータを送信する。また、外部Ｉ／Ｆ部８６は、ネットワークＮＷに接続されたモニタ端末６０からの表示操作を入力し、この表示操作に応じた表示画面等のデータ（電流低下ランキング画面等のデータ）をモニタ端末６０に送信する。
【００４０】
ネットワークＮＷは、有線ネットワーク（例えばイントラネット、インターネット）でもよいし、無線ネットワーク（例えば無線ＬＡＮ（Local Area Network）、ＩｒＤＡ、Ｂｌｕｅｔｏｏｔｈ（登録商標）、ＷｉＧｉｇ（Wireless Gigabit））でもよい。
【００４１】
モニタサーバ９０は、データロガー８０から送信された発電電流等のデータを受信し、太陽光発電システム１００の各ストリングＳＴＲ１〜ＳＴＲ３におけるＰＶパネルの発電量を監視する。
【００４２】
モニタ端末６０は、太陽光発電システム１００のメンテナンス作業を行う使用者（メンテナンス業者）によって所持され、メンテナンス作業に供するために使用される。例えば、モニタ端末６０（表示装置）は、入力部（図示せず）を有し、メンテナンス業者によって入力された表示操作に応じて、モニタサーバ９０から必要なデータを取得して表示し、データロガー８０から直接送信されたデータ（発電電流のデータ、ランキングデータ）を表示する。なお、データロガーは、表示操作を直接入力可能な入力部や、データを表示可能な表示部を備えてもよい。
【００４３】
次に、上述した本実施形態の太陽光発電システム１００の動作について、図面を参照して説明する。図４（Ａ）及び（Ｂ）は、ストリング毎の発電電流の時間変化を示すグラフである。このグラフで表される複数のストリングには、２箇所以上で地絡が発生した（つまり、短絡状態にある）ストリングが含まれる。図４（Ａ）は、日射量がピークを含む時間帯において発電電流が定格値に達していない場合を示す。図４（Ｂ）は、日射量がピークを含む時間帯において発電電流が定格値に達して飽和状態にある場合を示す。
【００４４】
前述したように、ストリング内の２箇所以上で地絡が起きると、その間は地面を介して電気的に接続されるのでその間には電位差が生じて、短絡と同じ状態となり、ストリングＳＴＲを流れる発電電流の電流量は大きく変化すると考えられる。図４（Ａ）、（Ｂ）に示すグラフでは、電流特性ｈ１、ｈ２が他の電流特性と比べて、電流量が大きく低下している。従って、電流特性ｈ１、ｈ２で表されるストリングは、２箇所以上で地絡が発生したストリングである可能性が高いと考えられる。つまり、このような電流特性を有するストリングは、２箇所以上で地絡が発生したストリングであることを示唆している。
【００４５】
図５（Ａ）及び（Ｂ）は、ストリング毎の電流低下率のランキングを表示する表示動作手順を説明するフローチャートである。図５（Ａ）は、ストリング毎のデータ収集動作手順を示す。図５（Ａ）において、データロガー８０内のデータ収集部８１は、ストリングモニタ親機ＭＭＳから、ストリングＳＴＲの発電電流の測定値を表すデータを受信する（Ｓ１）。データ収集部８１は、このデータを受信すると、データベース部８２に蓄積する（Ｓ２）。
【００４６】
データ収集部８１は、全てのストリングＳＴＲについて、データの収集を終えたか否かを判別する（Ｓ３）。全てのストリングＳＴＲについて、データの収集を終えていない場合、データ収集部８１は、ステップＳ１の処理に戻る。一方、全てのストリングＳＴＲについて、データの収集を終えた場合、データ収集部８１は、データ収集時間が終了したか否かを判別する（Ｓ４）。
【００４７】
データ収集時間が終了していない場合、データ収集部８１は、ステップＳ１の処理に戻る。一方、データ収集時間が終了した場合、データ収集部８１は、本動作を終了する。
【００４８】
図５（Ｂ）は、表示動作手順を説明するフローチャートである。図５（Ｂ）において、表示制御部８５は、外部Ｉ／Ｆ部８６を介してモニタ端末６０から表示操作を入力したか否かを判別する（Ｓ１１）。表示操作を入力していない場合、表示制御部８５は、本動作を終了する。
【００４９】
一方、表示操作を入力した場合、表示制御部８５は、データベース部８２に蓄積されたストリング毎の発電電流の測定値を読み出し、ストリング毎の電流低下率を算出する（Ｓ１２）。表示制御部８５は、電流低下率が大きい程、上位となるようにストリングＳＴＲに順位を付ける（Ｓ１３）。表示制御部８５は、この順位をもとに、少なくとも順位が上位である（例えば、最上位から４番目までの順位である）ストリングＳＴＲをランキング形式でモニタ端末６０に表示させる（Ｓ１４）。このランキング形式で上位のストリングＳＴＲを表示する際、表示の見せ方は、使用者が入力した表示操作に応じて、種々変更可能である。この後、表示制御部８５は、本動作を終了する。
【００５０】
図６は、データロガー８０内の表示制御部８５によって表示が制御されるモニタ端末６０の画面の展開を示す図である。モニタ端末６０は、使用者（例えばメンテナンス業者）がモニタ端末６０の入力部を介してデータロガー８０に対し、表示操作を行うことで、表示制御部８５によって表示が制御される画面を表示する。起動時のデフォルト画面（メイン画面）では、２つの発電詳細画面が選択可能である。即ち、パワーコンディショナ５０毎の発電詳細画面とストリングＳＴＲ毎の電流（発電）詳細画面とが表示可能である。
【００５１】
ストリングＳＴＲ毎の発電詳細画面は、ランキング形式でストリング毎の電流低下率を表す画面、或いはランキング形式で接続箱毎の電流低下率を表す画面に展開される。これらの画面は、電流低下ランキング画面として、テーブルで表示される。また、ストリング毎の画面、あるいは接続箱毎の画面のいずれにおいても、日単位、週単位、月単位で電流低下ランキング画面が表示可能である。
【００５２】
図７は、ストリング毎に月間の電流低下ランキング画面に表示されるテーブルの登録内容を表す図である。ここでは、１接続箱に１０ストリングが接続される場合を示す。また、ストリング及び接続箱の番号は、いずれも値０（つまり、Ｎｏ．０）から始まるように番号付けされる。このことは、以後の表示画面においても同様である。
【００５３】
このテーブルには、電流低下率が大きい順に、順位、ストリングＮｏ．（番号）、接続箱Ｎｏ．（番号）、電流低下率及び備考の欄が表記される。備考の欄には、使用者がモニタ端末６０等からコメントを入力することで、表記することが可能である。例えば、電流低下率が最も大きい最上位の列には、「１」、「Ｎｏ．３２」、「Ｎｏ．３」、「２５％」、「規則的な影あり」が表示される。また、上から２番目の列には、「順位２」、「Ｎｏ．１００」、「Ｎｏ．１０」、「１８％」が表示される。
【００５４】
ここでは、電流低下率が所定値（例えば１５％）以上である場合、そのストリングに２箇所以上で地絡が起きている可能性があるとして、その列の項目は電流低下率が所定値未満のストリングが表された列と識別可能に表示される。ここでは、テキストの文字色が赤色に変更される（図中、ドットの背景で示す）。なお、テキストの文字色を変更する代わりに、フォントや背景の色を変えることで対応してもよい。
【００５５】
図７では、順位１〜３の電流低下率のストリングが所定値以上のストリングに該当する。ただし、順位１のストリングの場合、備考に、毎日決まった時間帯に影がストリングに入ることを意味する「規則的な影あり」のコメントが記されているので、電流低下率の原因が２箇所以上の地絡によるものか、それとも日照量の不足によるものかを判断することが難しい。従って、順位１のストリングの列の項目は、順位２、３のストリングの列の項目とは異なる態様で表示される。例えばテキストの文字色が青色に変更される（図中、ハッチングの背景で示す）。なお、順位１のストリングをランキングから除外して表示してもよく、その場合、順位２以降のストリングの順位を繰り上げて表示することになる。
【００５６】
このように、本実施形態の太陽光発電システム１００は、特定の条件が満たされた場合として、電流低下率が所定値以上のストリングを識別可能に表示することで、アラート通知を行うことができ、２箇所以上で地絡が起きている可能性が高いストリングを使用者（例えばメンテナンス業者）に示唆することができる。使用者（例えばメンテナンス業者）は、上位に表示されたストリングから点検を行うことで、効率良く、２箇所以上で地絡が起きている可能性のあるストリングを探し出すことができる。
【００５７】
また、太陽光発電システム１００は、特定の条件が満たされた別の場合として、ストリングの順位が所定順位以上である日数が所定の期間において所定日数以上であるストリングを識別可能に表示することで、同様に、アラート通知を行うことができ、２箇所以上で地絡が起きている可能性が高いストリングを使用者に示唆することができる。
【００５８】
図８（Ａ）、（Ｂ）、（Ｃ）は、ストリング毎に期間指定で電流低下ランキング画面に表示されるテーブルの登録内容を表す図である。使用者（例えばメンテナンス業者）がモニタ端末６０等からデータロガー８０に対し、表示操作を入力することで、図８（Ａ）、（Ｂ）、（Ｃ）に示す電流低下ランキング画面を選択可能である。
【００５９】
図８（Ａ）は、月間の電流低下率のランキングを表す。このテーブルには、電流低下率が大きい順に、月の順位、ストリングＮｏ．（番号）、接続箱Ｎｏ．（番号）、電流低下率、週の順位、本日の順位及び備考の欄が表記される。例えば、５月の電流低下ランキング画面の場合、電流低下率が最も大きい最上位の列には、「１」、「Ｎｏ．３２」、「Ｎｏ．３」、「２５％」、「１」、「１」が表示される。
【００６０】
図８（Ｂ）は、週間の電流低下率のランキングを表す。このテーブルには、電流低下率が大きい順に、週の順位、ストリングＮｏ．（番号）、接続箱Ｎｏ．（番号）、電流低下率、本日の順位、月の順位及び備考の欄が表記される。例えば、６月第１週の電流低下ランキング画面の場合、電流低下率が最も大きい最上位の列には、「１」、「Ｎｏ．３２」、「Ｎｏ．３」、「２３％」、「１」、「１」が表示される。
【００６１】
図８（Ｃ）は、本日の電流低下率のランキングを表す。このテーブルには、電流低下率が大きい順に、本日の順位、ストリングＮｏ．（番号）、接続箱Ｎｏ．（番号）、電流低下率、月の順位、週の順位及び備考の欄が表記される。例えば、６月１０日の電流低下ランキング画面の場合、電流低下率が最も大きい最上位の列には、「１」、「Ｎｏ．３２」、「Ｎｏ．３」、「３０％」、「１」、「１」が表示される。
【００６２】
このように、使用者が本日、週、月の期間のいずれかを指定することができ、それぞれの期間における電流低下率の大きいストリングの順位をランキング形式で表示させることができる。従って、使用者は、指定した期間において、順位が上位にあるストリングから点検を開始することで、高効率な点検作業が可能となる。
【００６３】
なお、図８（Ａ）、（Ｂ）、（Ｃ）に示す電流低下ランキング画面は、使用者の選択によって別々の画面として表示されたが、１画面に並列して表示されてもよい。また、月の電流低下ランキング画面を表示する場合、２ヶ月前、先月、今月の３つの電流低下ランキング画面を並べて表示してもよい。また、週の電流低下ランキング画面についても、同様に、２週間前、先週、今週の３つの電流低下ランキング画面を並べて表示してもよい。また、本日の電流低下ランキング画面についても、同様に、２日前、昨日、本日の３つの電流低下ランキング画面を並べて表示してもよい。
【００６４】
図９（Ａ）、（Ｂ）、（Ｃ）は、ストリング毎に期間指定で電流低下ランキング画面に表示される他のテーブルの登録内容を表す図である。使用者がモニタ端末６０等からデータロガー８０に対し、表示操作を入力することで、図９（Ａ）、（Ｂ）、（Ｃ）に示す電流低下ランキング画面を選択可能である。
【００６５】
図９（Ａ）は、月単位の電流低下率のランキングを表す。このテーブルには、電流低下率が大きい順に、今月の順位、ストリングＮｏ．（番号）、接続箱Ｎｏ．（番号）、電流低下率、先月の順位、２ヶ月前の順位及び備考の欄が表記される。例えば、５月の電流低下ランキング画面の場合、電流低下率が最も大きい最上位の列には、「１」、「Ｎｏ．３２」、「Ｎｏ．３」、「２５％」、「１」、「１」が表示される。
【００６６】
図９（Ｂ）は、週単位の電流低下率のランキングを表す。このテーブルには、電流低下率が大きい順に、今週の順位、ストリングＮｏ．（番号）、接続箱Ｎｏ．（番号）、電流低下率、先週の順位、２週前の順位及び備考の欄が表記される。例えば、６月第１週の電流低下ランキング画面の場合、電流低下率が最も大きい最上位の列には、「１」、「Ｎｏ．３２」、「Ｎｏ．３」、「２３％」、「１」、「１」が表示される。
【００６７】
図９（Ｃ）は、日単位の電流低下率のランキングを表す。このテーブルには、電流低下率が大きい順に、本日の順位、ストリングＮｏ．（番号）、接続箱Ｎｏ．（番号）、電流低下率、昨日の順位、２日前の順位及び備考の欄が表記される。例えば、６月１０日の電流低下ランキング画面の場合、電流低下率が最も大きい最上位の列には、「１」、「Ｎｏ．３２」、「Ｎｏ．３」、「３０％」、「１」、「１」が表示される。
【００６８】
このように、使用者が日単位、週単位、月単位の期間のいずれかを指定することで、それぞれの期間における電流低下率の大きいストリングの順位をランキング形式で表示させることができる（請求項７の効果）。従って、使用者が、順位が上位にあるストリングから点検を開始することで、高効率な点検作業が可能となる。
【００６９】
なお、図９（Ａ）、（Ｂ）、（Ｃ）に示す電流低下ランキング画面は、使用者の選択によって別々の画面として表示されたが、１画面に並べて表示されてもよい。
【００７０】
図１０（Ａ）、（Ｂ）は、電流低下率が大きくて上位にあるストリングの順位の推移を表す折れ線グラフである。図１０（Ａ）は、日単位の順位を示す。例えば、符号ａで示すストリングの順位は、６月１日に１位、６月２日に２位、６月３日、４日に４位、６月５日、６日に３位と推移している。また、符号ｂで示すストリングの順位は、６月１日に２位、６月２日に３位、６月３日に２位、６月４日、５日、６日に１位と推移している。符号ｂに示すように順位が推移するストリングは、直近の３日に亘って順位が１位であることから、特に２箇所以上で地絡が起きている可能性が高いことが示唆される。
【００７１】
図１０（Ｂ）は、月単位の順位を示す。符号ｃで示すストリングの順位は、６月、７月に１位、８月、９月に３位、１０月に２位、１１月に４位と推移している。また、符号ｄで示すストリングの順位は、６月に２位、７月に４位、８月、９月、１０月、１１月に１位と推移している。符号ｄに示すように順位が推移するストリングは、直近の４ケ月に亘って順位が１位であることから、特に２箇所以上で地絡が起きている可能性が高いことが示唆される。このように、電流変化率が大きい程、ストリングの順位が上位にあるので、ストリングの順位の推移を見ることで、使用者は、２箇所以上で地絡が起きている可能性の判断材料を得ることができる。
【００７２】
以上により、第１の実施形態の太陽光発電システム１００では、データロガー８０は、複数のストリングＳＴＲによる発電電流の測定値を取得し、この発電電流の測定値を基に、ストリング毎の電流低下率を算出し、この電流低下率が大きい程、上位となるようにストリングの順位を決定し、この決定されたストリングの順位をランキング形式でモニタ端末に表示させる。
【００７３】
これにより、太陽光発電システム１００は、２箇所以上で地絡状態にあるストリングは地面を介して電気的に接続されるので、各々のストリングの発電出力（例えば発電電流）の低下の推移をモニタ端末６０に表示することで、メンテナンス業者にとって発電電流の低下が発生した地点を効率良く探し出すことができる。また、太陽光発電システム１００は、ストリングの順位をランキング形式で表示させるので、視覚的にストリングの順位を分かり易く表示できる。
【００７４】
なお、本実施形態では、ストリング毎の電流低下率を算出し、この電流低下率が高い程、上位になるようにストリングの順位を決定する際、その時点のストリングの電流低下率（瞬時値）を用いたが、この代わりに、所定の期間に亘る電流低下率の平均値、最大値或いは積算値を用いてもよい。これにより、太陽光発電システム１００は、所定の期間に亘る電流低下率の平均値又は積算値を用いることで発電出力の低下の現象の信頼性を的確に確保することができ、また、所定の期間に亘る電流低下率の最大値を用いることで発電出力の低下の原因に地絡以外に様々な可能性をメンテナンス業者に気付かせることができる。
【００７５】
（第２の実施形態）
第２の実施形態の発電監視システムが適用される太陽光発電システムは、多数のストリングが接続された複数の接続箱及び複数のパワーコンディショナを有するメガソーラシステムである。
【００７６】
ストリング毎のランキングを表示する場合、上位に選ばれたストリングは、広大なメガソーラサイトに点在している可能性が高い。このため、表示されたランキングの順位通りに、使用者（例えばメンテナンス業者）がストリングを点検した場合、あちらこちらに場所を移動して点検しなければならず、点検効率は低下すると考えられる。
【００７７】
そこで、第２の実施形態では、事前に各ストリングが接続されている接続箱とその位置をデータロガーに登録しておくことで、使用者が効率的な点検順序を決め易くする。
【００７８】
図１１は、第２の実施形態の太陽光発電システム１００Ａのシステム構成の一例を示す図である。上述した第１の実施形態と同一の構成要素については同一の符号を用いることで、その説明を省略する。
【００７９】
太陽光発電システム１００Ａは、複数の接続箱及び複数のパワーコンディショナを有する。図１１では、４つの接続箱４０Ａ、４０Ｂ、４０Ｃ、４０Ｄ及び２つのパワーコンディショナ５０Ａ、５０Ｂが示される。パワーコンディショナ５０Ａには、２つの接続箱４０Ａ、４０Ｂが接続される。同様に、パワーコンディショナ５０Ｂには、２つの接続箱４０Ｃ、４０Ｄが接続される。なお、４つの接続箱４０Ａ、４０Ｂ、４０Ｃ、４０Ｄを特に区別する必要が無い場合、接続箱４０と総称する。同様に、２つのパワーコンディショナ５０Ａ、５０Ｂを特に区別する必要が無い場合、パワーコンディショナ５０と総称する。
【００８０】
２つの接続箱４０Ａ、４０Ｂは、それぞれ複数のストリングを個別に接続する各電力線を集線する。２つのパワーコンディショナ５０Ａ、５０Ｂは、それぞれ接続箱４０Ａ、４０Ｂ及び４０Ｃ、４０Ｄを介して各ストリングＳＴＲから出力された直流電力を変換し、更に、ＤＣＤＣ変換後の直流電力を交流電力に変換する。
【００８１】
データロガー８０Ａは、前記第１の実施形態のデータロガー８０とほぼ同様の構成を有する。データロガー８０Ａ内のデータベース部８２には、予め複数のストリングが接続された各接続箱の位置を表す地図情報が登録されている。
【００８２】
図１２は、４つの接続箱４０Ａ、４０Ｂ、４０Ｃ、４０Ｄがそれぞれ属する４つのセクタ１５１Ａ、１５１Ｂ、１５１Ｃ、１５１Ｄを表す地図情報１５０を示す図である。この地図情報１５０は、データロガー８０Ａのデータベース部８２に登録されている。地図情報１５０には、４つの接続箱４０Ａ、４０Ｂ、４０Ｃ、４０Ｄがそれぞれ属する４つのセクタ１５１Ａ、１５１Ｂ、１５１Ｃ、１５１Ｄが登録されている。４つのセクタ１５１Ａ、１５１Ｂ、１５１Ｃ、１５１Ｄを特に区別する必要が無い場合、セクタ１５１と総称する。
【００８３】
この発電監視システムでは、第１の実施形態と同様、ストリング毎の電流低下率を算出し、電流低下率が大きい程、上位となるようにストリングの順位が決定される。更に、データロガー８０Ａは、ストリングの順位を決定するとともに、データベース部８２に登録されている、ストリングＳＴＲが接続された接続箱４０が属するセクタ１５１を読み出す。そして、データロガー８０Ａは、ストリング毎の電流低下ランキング画面に表示されるテーブルを作成してモニタ端末６０に表示する際、ストリングＳＴＲが接続された接続箱４０が属するセクタ１５１を視覚的に識別可能となるように表示する。
【００８４】
図１３は、ストリング毎の電流低下ランキング画面に表示されるテーブルの登録内容を、セクタが識別可能となるように示す図である。テーブルの各行には、接続箱が属するセクタ毎に、例えば背景色が変更されている。図中、背景色はドットやハッチングパターンで表されている。なお、背景色を変更する代わりに、各行に記されるテキストのフォント等を変更することで、セクタが分かるようにしてもよい。
【００８５】
このように、広大なメガソーラサイトの場合、２ヶ所以上で地絡が起きているストリングは至る所に点在している可能性が高いので、電流低下ランキング画面では、そのストリングが接続された接続箱が属するサイト位置（セクタ）が分かるように表示することで、使用者は点検作業を効率的に行うことができる。
【００８６】
図１４は、接続箱毎に月単位の電流低下ランキング画面に表示されるテーブルの登録内容を表す図である。このテーブルには、電流低下率が大きい順に、今月の順位、接続箱Ｎｏ．（番号）、ストリングＮｏ．（番号）、電流低下率及び備考の欄が表記される。備考の欄には、使用者がモニタ端末６０等からコメントを入力可能である。また、各列には、各接続箱の位置をセクタ毎に表す背景色が付される。
【００８７】
接続箱毎の順位は、接続箱４０に接続される複数（ここでは１０個）のストリングＳＴＲの電流低下率の平均値が大きい順に決定される。例えば、電流低下率の平均値が最も大きい最上位の列には、「１」、「３」、「Ｎｏ．３１〜Ｎｏ．４０」、「１０％〜９％」が表される。ここで、ストリングＮｏ．３１の電流低下率は１０％であり、ストリングＮｏ．４０の電流低下率は９％である。
【００８８】
このように、接続箱毎に電流低下率のランキングを表示することで、接続箱単位で点検作業を行い易くなる。また、事前に各ストリングが接続されている接続箱とその位置をデータロガーに登録しておくことで、接続箱からそのサイト位置（セクタ）が分かり、点検順序を効率的に決め易くなる。
【００８９】
以上により、本実施形態の太陽光発電システム１００Ａでは、複数の接続箱が属するセクタが分かるように、接続箱単位で電流低下率が大きい接続箱の順位をランキング形式で表示させるので、２ヶ所以上で地絡が起きているストリングが属する接続箱を効率良く探し出すことができる。これにより、点検作業を効率的に行うことができる。
【００９０】
なお、接続箱の順位を決定する際、接続箱の電流低下率として、接続箱に接続される複数のストリングの電流低下率の平均値を用いる代わりに、これらのストリングにおける電流低下率の最大値や積算値を用いてもよい。また、ストリング毎の電流低下ランキング画面と同様、接続箱毎の電流低下ランキング画面として、週単位あるいは日単位の画面を用いてもよい。
【００９１】
以上、図面を参照しながら各種の実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００９２】
例えば、上記実施形態では、発電単位として、ストリングを用いた場合を示したが、これに限らず、太陽光パネル、接続箱あるいはパワーコンディショナを用いてもよい。更には、クラスタ毎の発電電流の測定値を取得可能である場合、発電単位としてクラスタを用いてもよい。また、発電単位は、使用者によるモニタ端末からの表示操作によって切り替え可能である。このように、発電単位を、太陽光発電システムの規模や環境に合わせて任意に設定することが可能である。
【００９３】
以下に、本発明に係る発電監視システム及び発電監視方法の構成、作用、効果を、以下に列挙に列記する。
【００９４】
本発明の一実施形態は、少なくとも１つの太陽光パネルを含む、複数の発電単位と、前記複数の発電単位の発電出力の測定値を取得する取得部と、前記取得部によって取得された複数の発電単位の発電出力の測定値を基に、各々の前記発電単位の発電出力の低下の推移を表示部に表示させる表示制御部と、を備える、発電監視システムである。
【００９５】
この発電監視システムでは、取得部は、少なくとも１つの太陽光パネルを含む、複数の発電単位の発電出力の測定値を取得する。表示制御部は、取得部によって取得された複数の発電単位の発電出力の測定値を基に、各々の発電単位の発電出力の低下の推移を表示部に表示させる。
【００９６】
これにより、発電監視システムは、２ヶ所以上で地絡状態にある発電単位は地面を介して電気的に接続されるので、各々の発電単位の発電出力の低下の推移を表示することで、メンテナンス業者にとって発電出力（例えば発電電流）の低下が発生した地点を効率良く探し出すことができる。
【００９７】
また、本発明の一実施形態は、前記表示制御部は、前記推移として、前記発電出力の低下が大きい程、上位となるように前記発電単位の順位を表示させる、発電監視システムである。
【００９８】
この発電監視システムでは、表示制御部は、表示部には、発電出力の低下が大きい程、上位となるように発電単位の順位が表示される。
【００９９】
これにより、発電出力の低下が大きい程、発電単位の順位が上位にあるので、発電単位の順位の推移を見ることで、使用者は、２箇所以上で地絡が起きている可能性の判断材料を得ることができる。
【０１００】
また、本発明の一実施形態は、前記表示制御部は、前記発電単位の順位をランキング形式で表示させる、発電監視システムである。
【０１０１】
この発電監視システムでは、発電単位の順位をランキング形式で表示させるので、視覚的に発電単位の順位を分かり易く表示できる。
【０１０２】
また、本発明の一実施形態は、前記表示制御部は、前記発電出力の低下が特定の条件を満たす前記発電単位を識別可能に表示させる、発電監視システムである。
【０１０３】
この発電監視システムでは、特定の条件が満たされた場合、アラート通知を行うことができ、２箇所以上で地絡が起きている可能性が高い発電単位を使用者又はメンテナンス業者に分かり易く示唆することができる。
【０１０４】
また、本発明の一実施形態は、前記発電単位が配置された位置を表す地図情報を記憶する記憶部（データベース部８２）を備え、前記表示制御部は、前記発電単位の順位を前記位置と共に表示させる、発電監視システムである。
【０１０５】
この発電監視システムでは、表示制御部は、発電単位の順位を、地図情報に表された発電単位の位置と共に表示させる。
【０１０６】
これにより、広大なメガソーラサイトの場合、地絡状態にある発電単位が至る所に点在しても、その位置が分かるように表示されるので、使用者は点検作業を効率的に行うことができる。
【０１０７】
また、本発明の一実施形態は、前記表示制御部は、前記発電出力の低下の推移を、所定の期間における前記発電出力の低下の平均値、最大値又は積算値を用いて表示させる、発電監視システムである。
【０１０８】
この発電監視システムでは、表示制御部は、所定の期間に亘る電流低下率の平均値又は積算値を用いることで発電出力の低下の現象の信頼性を的確に確保することができ、また、所定の期間に亘る電流低下率の最大値を用いることで発電出力の低下の原因に地絡以外に様々な可能性をメンテナンス業者に気付かせることができる。
【０１０９】
また、本発明の一実施形態は、表示操作を入力する入力部、を更に備え、前記表示制御部は、入力された前記表示操作に従って、前記所定の期間を、日単位、週単位又は月単位のいずれかの期間に切り替える、発電監視システムである。
【０１１０】
この発電監視システムでは、表示制御部は、入力した表示操作に従って、所定の期間を、日単位、週単位又は月単位の期間に切り替えるので、使用者が日、週、月の期間のいずれかを指定することができ、それぞれの期間における発電単位の順位を表示させることができる。従って、使用者は、指定した期間において、順位が上位にある発電単位から点検を開始することで、高効率な点検作業が可能となる。
【０１１１】
また、本発明の一実施形態は、表示操作を入力する入力部、を更に備え、前記表示制御部は、入力された前記表示操作に従って、前記発電単位を、クラスタ、太陽光パネル、ストリング、接続箱又はパワーコンディショナに切り替える、発電監視システムである。
【０１１２】
この発電監視システムでは、表示制御部は、入力した表示操作に従って、発電単位を、クラスタ、太陽光パネル、ストリング、接続箱又はパワーコンディショナに切り替えるので、発電単位を、太陽光発電システムの規模や環境に合わせて任意に設定することが可能である。
【０１１３】
また、本発明の一実施形態は、前記表示制御部は、前記特定の条件として、前記順位が所定順位以上である日数が所定期間において所定日数以上である前記発電単位を識別可能に表示させる、発電監視システムである。
【０１１４】
この発電監視システムでは、順位が所定順位以上である日数が所定の期間において所定日数以上である発電単位が識別可能に表示されるので、アラート通知を行うことができ、２箇所以上で地絡が起きている可能性が高い発電単位を使用者に示唆することができる。
【０１１５】
また、本発明の一実施形態は、前記表示制御部は、前記特定の条件として、前記発電出力の低下が所定値以上である前記発電単位を識別可能に表示させる、発電監視システムである。
【０１１６】
この発電監視システムでは、発電出力の低下が所定値以上である発電単位が識別可能に表示されるので、アラート通知を行うことができ、２箇所以上で地絡が起きている可能性が高いストリングを使用者に示唆することができる。
【０１１７】
また、本発明の一実施形態は、少なくとも１つの太陽光パネルを含む、複数の発電単位を監視する発電監視システムにおける発電監視方法であって、前記発電単位の発電出力の測定値を取得するステップと、取得された前記複数の発電単位の発電出力の測定値を基に、各々の前記発電単位の発電出力の低下の推移を表示部に表示させるステップと、を有する発電監視方法である。
【０１１８】
この発電監視方法では、発電監視システムは、少なくとも１つの太陽光パネルを含む、複数の発電単位の発電出力の測定値を取得し、取得された複数の発電単位の発電出力の測定値を基に、各々の発電単位の発電出力の低下の推移を表示部に表示させる。
【０１１９】
これにより、発電監視システムは、２ヶ所以上で地絡状態にある発電単位は地面を介して電気的に接続されるので、各々の発電単位の発電出力の低下の推移を表示することで、メンテナンス業者にとって発電出力（例えば発電電流）の低下が発生した地点を効率良く探し出すことができる。
【産業上の利用可能性】
【０１２０】
本発明は、２ヶ所以上で地絡状態にある発電単位を効率良く探し出すことができる効果を有し、太陽光発電システムに用いられる発電監視システムとして有用である。
【符号の説明】
【０１２１】
１０、１１Ａ１、１１Ａ２、１１Ａ３、１１Ａ４、１１Ａ５、１２Ａ１、１２Ａ２、１２Ａ３、１２Ａ４、１２Ａ５、１３Ａ１、１３Ａ２、１３Ａ３、１３Ａ４、１３Ａ５  ＰＶパネル
１０Ｃ  ＰＶセル
１０Ｇ  ＰＶクラスタ
４０、４０Ａ、４０Ｂ、４０Ｃ、４０Ｄ  接続箱
５０、５０Ａ、５０Ｂ  パワーコンディショナ
６０  モニタ端末
８０、８０Ａ  データロガー
８１  データ収集部
８２  データベース部
８３  異常検知部
８５  表示制御部
８６  外部Ｉ／Ｆ部
８７  センサＩ／Ｆ部
９０  モニタサーバ
９５  日照計
９６  温度計
１００、１００Ａ  太陽光発電システム
１５０  地図情報
１５１、１５１Ａ、１５１Ｂ、１５１Ｃ、１５１Ｄ  セクタ
ＭＭＳ  ストリングモニタ親機
ＭＳＬ、ＭＳＬ１、ＭＳＬ２、ＭＳＬ３  ストリングモニタ子機
ＳＴＲ、ＳＴＲ１、ＳＴＲ２、ＳＴＲ３  ストリング
【図１】
2016082716.tif 000003
【図２】
2016082716.tif 000004
【図３】
2016082716.tif 000005
【図４】
2016082716.tif 000006
【図５】
2016082716.tif 000007
【図６】
2016082716.tif 000008
【図７】
2016082716.tif 000009
【図８】
2016082716.tif 000010
【図９】
2016082716.tif 000011
【図１０】
2016082716.tif 000012
【図１１】
2016082716.tif 000013
【図１２】
2016082716.tif 000014
【図１３】
2016082716.tif 000015
【図１４】
2016082716.tif 000016